(57)【要約】【課題】移動通信端末機相互間で、一方が他方の位置情報に関連づけられた文字や画像又は音声によるメッセージ等の情報を効率よく取得することができる情報送受信システムを提供する。【解決手段】各トラックＡ，Ｂ，Ｃの位置情報を位置情報受信部１２で受信して位置情報データベース２０に格納し、送信元トラックＢから送信先トラックＡへ送信するメッセージ情報をメッセージ受信部１４で受信してメッセージデータベース２２に格納する。この格納時に地図情報提示部１６で、そのメッセージ情報送信元のトラックＢの位置情報を位置情報データベース２０から取得し、この位置情報を地図データベース２４の地図情報に対応付けて送信先トラックＡの車載端末機３０ａへ提示する。この提示により車載端末機３０ａに表示された地図上で送信元トラックＢの位置が指定された際にメッセージデータベース２２格納されたメッセージ情報をメッセージ送信部１８で送信先の車載端末機３０ａへ提示する。【選択図】　図１
2004064244.tif 000002
【特許請求の範囲】
【請求項１】
通信網に接続された無線基地局と通信を行う移動通信端末機と情報の送受信を行う情報送受信システムにおいて、
各移動通信端末機の位置情報を受信する第１の受信手段と、
前記第１の受信手段で受信された位置情報を格納する第１の格納手段と、
送信元の移動通信端末機から送信先の移動通信端末機へ送信する送信情報を、前記送信元の移動通信端末機から受信する第２の受信手段と、
前記第２の受信手段で受信された送信情報を格納する第２の格納手段と、
前記送信情報の送信元の移動通信端末機の位置情報を前記第１の格納手段から取得し、この取得した位置情報を地図情報に対応付けて送信先の移動通信端末機へ提示する第１の提示手段と、
前記第１の提示手段で提示された地図上で送信元の移動通信端末機の位置が指定された際に、前記第２の格納手段に格納された送信情報を前記送信先の移動通信端末機へ提示する第２の提示手段と
を備えたことを特徴とする情報送受信システム。
【請求項２】
前記送信情報は、音声情報を含むことを特徴とする請求項１に記載の情報送受信システム。
【請求項３】
通信網に接続された無線基地局と通信を行う移動通信端末機と情報の送受信を行う情報送受信方法において、
各移動通信端末機の位置情報を受信する第１の受信ステップと、
前記第１の受信ステップで受信された位置情報を格納手段に格納する第１の格納ステップと、
送信元の移動通信端末機から送信先の移動通信端末機へ送信する送信情報を、前記送信元の移動通信端末機から受信する第２の受信ステップと、
前記第２の受信ステップで受信された送信情報を前記格納手段に格納する第２の格納ステップと、
前記送信情報の送信元の移動通信端末機の位置情報を前記格納手段から取得し、この取得した位置情報を地図情報に対応付けて送信先の移動通信端末機へ提示する第１の提示ステップと、
前記第１の提示ステップで提示された地図上で送信元の移動通信端末機の位置が指定された際に、前記第２の格納ステップで前記格納手段に格納された送信情報を前記送信先の移動通信端末機へ提示する第２の提示ステップと
を備えたことを特徴とする情報送受信方法。
【請求項４】
前記送信情報は、音声情報を含むことを特徴とする請求項３に記載の情報送受信方法。
【請求項５】
通信網に接続された無線基地局と通信を行う移動通信端末機と情報の送受信を行う情報送受信プログラムにおいて、
コンピュータに、
各移動通信端末機の位置情報を受信し、この受信された位置情報を格納手段に格納する第１の受信ステップと、
送信元の移動通信端末機から送信先の移動通信端末機へ送信する送信情報を、前記送信元の移動通信端末機から受信し、この受信された送信情報を前記格納手段に格納する第２の受信ステップと、
前記送信情報の送信元の移動通信端末機の位置情報を前記格納手段から取得し、この取得した位置情報を地図情報に対応付けて送信先の移動通信端末機へ提示する第１の提示ステップと、
前記第１の提示ステップで提示された地図上で送信元の移動通信端末機の位置が指定された際に、前記格納手段に格納された送信情報を前記送信先の移動通信端末機へ提示する第２の提示ステップと
を実行させることを特徴とする情報送受信プログラム。
【請求項６】
前記送信情報は、音声情報を含むことを特徴とする請求項５に記載の情報送受信プログラム。
【請求項７】
請求項５又は６に記載の情報送受信プログラムを記録したことを特徴とするコンピュータ読み取り可能な記録媒体。
【発明の詳細な説明】
【０００１】
【発明の属する技術分野】
本発明は、自動車電話機や携帯電話機、更に通信機能及びコンピュータ機能を備えた情報通信端末装置などの移動通信端末機相互間で、一方が他方の位置情報に関連づけられたメッセージ等の情報を取得する情報送受信システム、情報送受信方法、情報送受信プログラム及びコンピュータ読み取り可能な記録媒体に関するものである。
【０００２】
【従来の技術】
従来、移動通信端末機である例えば携帯電話機のインターネット機能により画面上に地図情報を表示させ、その地図上に表記された名称やシンボルマークによって、利用者が知りたい建物などの位置を確認したり、また、そのシンボルマークをクリックすることによって、その知りたい建物に関連づけられた情報、例えばデパートの案内情報を表示させることができる。
【０００３】
【発明が解決しようとする課題】
上記従来の情報送受信システムにおいては、移動通信端末機でデパートなどの移動しない建物や場所の位置情報及び関連情報を取得することはできる。しかし、移動通信端末機において、自動車や人などの移動体の位置情報に関連づけられた文字や音声などによるメッセージ等の関連情報を取得することはできなかった。言い換えれば、移動通信端末機相互間で一方が、他方の位置情報に関連づけられたテキストや画像又は音声によるメッセージ等の情報を取得する技術がなかった。
【０００４】
そこで本発明は、移動通信端末機相互間で、一方が他方の位置情報に関連づけられた文字や画像又は音声によるメッセージ等の情報を効率よく取得することができる情報送受信システム、情報送受信方法、情報送受信プログラム及びコンピュータ読み取り可能な記録媒体を提供することを課題とする。
【０００５】
【課題を解決するための手段】
上記課題を解決するために、本発明の情報送受信システムは、通信網に接続された無線基地局と通信を行う移動通信端末機と情報の送受信を行う情報送受信システムであって、各移動通信端末機の位置情報を受信する第１の受信手段と、上記第１の受信手段で受信された位置情報を格納する第１の格納手段と、送信元の移動通信端末機から送信先の移動通信端末機へ送信する送信情報を、上記送信元の移動通信端末機から受信する第２の受信手段と、上記第２の受信手段で受信された送信情報を格納する第２の格納手段と、上記送信情報の送信元の移動通信端末機の位置情報を上記第１の格納手段から取得し、この取得した位置情報を地図情報に対応付けて送信先の移動通信端末機へ提示する第１の提示手段と、上記第１の提示手段で提示された地図上で送信元の移動通信端末機の位置が指定された際に、上記第２の格納手段に格納された送信情報を上記送信先の移動通信端末機へ提示する第２の提示手段とを備えたことを特徴としている。
【０００６】
各移動通信端末機の位置情報を受信して格納すると共に、送信元の移動通信端末機から送信先の移動通信端末機へ送信する送信情報を、送信元の移動通信端末機から受信して格納し、その送信情報の送信元の位置情報を先に格納された中から取得し、この取得した位置情報を地図情報に対応付けて送信先の移動通信端末機へ提示し、この提示された地図上で送信元の位置が指定された際に、先に格納された送信情報を送信先の移動通信端末機へ提示するので、移動通信端末機相互間で、送信元が送信先への送信情報を送信しておけば、その送信元の位置情報が地図情報に対応付けられて送信先へ提示され、ここで送信先に提示された地図上で送信元の位置を指定することにより、送信先のユーザは、送信元からの送信情報を享受することができる。
【０００７】
また、本発明の情報送受信システムにおいては、上記送信情報は、音声情報を含むことを特徴とすることが好適である。
【０００８】
送信情報で音声情報も送受信されるので、音声によるメッセージ等を送信することもできる。
【０００９】
上記課題を解決するために、本発明の情報送受信方法は、通信網に接続された無線基地局と通信を行う移動通信端末機と情報の送受信を行う情報送受信方法であって、各移動通信端末機の位置情報を受信する第１の受信ステップと、上記第１の受信ステップで受信された位置情報を格納手段に格納する第１の格納ステップと、送信元の移動通信端末機から送信先の移動通信端末機へ送信する送信情報を、上記送信元の移動通信端末機から受信する第２の受信ステップと、上記第２の受信ステップで受信された送信情報を上記格納手段に格納する第２の格納ステップと、上記送信情報の送信元の移動通信端末機の位置情報を上記格納手段から取得し、この取得した位置情報を地図情報に対応付けて送信先の移動通信端末機へ提示する第１の提示ステップと、上記第１の提示ステップで提示された地図上で送信元の移動通信端末機の位置が指定された際に、上記第２の格納ステップで上記格納手段に格納された送信情報を上記送信先の移動通信端末機へ提示する第２の提示ステップとを備えたことを特徴としている。
【００１０】
各移動通信端末機の位置情報を受信して格納すると共に、送信元の移動通信端末機から送信先の移動通信端末機へ送信する送信情報を、送信元の移動通信端末機から受信して格納し、その送信情報の送信元の位置情報を先に格納された中から取得し、この取得した位置情報を地図情報に対応付けて送信先の移動通信端末機へ提示し、この提示された地図上で送信元の位置が指定された際に、先に格納された送信情報を送信先の移動通信端末機へ提示するので、移動通信端末機相互間で、送信元が送信先への送信情報を送信しておけば、その送信元の位置情報が地図情報に対応付けられて送信先へ提示され、ここで送信先に提示された地図上で送信元の位置を指定することにより、送信先のユーザは、送信元からの送信情報を享受することができる。
【００１１】
また、本発明の情報送受信方法においては、上記送信情報は、音声情報を含むことを特徴とすることが好適である。
【００１２】
送信情報で音声情報も送受信されるので、音声によるメッセージ等を送信することもできる。
【００１３】
上記課題を解決するために、本発明の情報送受信プログラムは通信網に接続された無線基地局と通信を行う移動通信端末機と情報の送受信を行う情報送受信プログラムであって、コンピュータに、各移動通信端末機の位置情報を受信し、この受信された位置情報を格納手段に格納する第１の受信ステップと、送信元の移動通信端末機から送信先の移動通信端末機へ送信する送信情報を、上記送信元の移動通信端末機から受信し、この受信された送信情報を上記格納手段に格納する第２の受信ステップと、上記送信情報の送信元の移動通信端末機の位置情報を上記格納手段から取得し、この取得した位置情報を地図情報に対応付けて送信先の移動通信端末機へ提示する第１の提示ステップと、上記第１の提示ステップで提示された地図上で送信元の移動通信端末機の位置が指定された際に、上記格納手段に格納された送信情報を上記送信先の移動通信端末機へ提示する第２の提示ステップとを実行させることを特徴としている。
【００１４】
各移動通信端末機の位置情報を受信して格納すると共に、送信元の移動通信端末機から送信先の移動通信端末機へ送信する送信情報を、送信元の移動通信端末機から受信して格納し、その送信情報の送信元の位置情報を先に格納された中から取得し、この取得した位置情報を地図情報に対応付けて送信先の移動通信端末機へ提示し、この提示された地図上で送信元の位置が指定された際に、先に格納された送信情報を送信先の移動通信端末機へ提示するので、移動通信端末機相互間で、送信元が送信先への送信情報を送信しておけば、その送信元の位置情報が地図情報に対応付けられて送信先に提示され、ここで送信先に提示された地図上で送信元の位置を指定することにより、送信先のユーザは、送信元からの送信情報を享受することができる。
【００１５】
また、本発明の情報送受信プログラムにおいては、上記送信情報は、音声情報を含むことを特徴とすることが好適である。
【００１６】
送信情報で音声情報も送受信されるので、音声によるメッセージ等を送信することもできる。
【００１７】
上記課題を解決するために、本発明のコンピュータ読み取り可能な記録媒体は、上記何れかの情報送受信プログラムを記録したことを特徴としている。
【００１８】
各移動通信端末機の位置情報を受信して格納すると共に、送信元の移動通信端末機から送信先の移動通信端末機へ送信する送信情報を、送信元の移動通信端末機から受信して格納し、その送信情報の送信元の位置情報を先に格納された中から取得し、この取得した位置情報を地図情報に対応付けて送信先の移動通信端末機へ提示し、この提示された地図上で送信元の位置が指定された際に、先に格納された送信情報を送信先の移動通信端末機へ提示するので、移動通信端末機相互間で、送信元が送信先への送信情報を送信しておけば、その送信元の位置情報が地図情報に対応付けられて送信先に提示され、ここで送信先に提示された地図上で送信元の位置を指定することにより、送信先のユーザは、送信元からの送信情報を享受することができる。
【００１９】
【発明の実施の形態】
本発明の実施形態にかかる情報送受信システムについて図面を参照して説明する。
【００２０】
まず、本実施形態にかかる情報送受信システムの構成について説明する。図１は本実施形態にかかる情報送受信システムの構成図である。本実施形態にかかる情報送受信システム１０は、通信回線網１１に接続されたサーバによるものであり、図１に示すように、位置情報受信部（第１の受信手段）１２と、メッセージ受信部（第２の受信手段）１４と、地図情報提示部（第１の提示手段）１６と、メッセージ送信部（第２の提示手段）１８と、位置情報データベース（第１の格納手段）２０、メッセージデータベース（第２の格納手段）２２及び地図データベース２４が格納された格納部２６とを備えて構成されている。また、本実施形態においては、移動体として、通信回線網１１に図示せぬ無線基地局を介して車載アンテナ２８ａ，２８ｂ，２８ｃで無線通信接続される車載端末機３０ａ，３０ｂ，３０ｃを有する各トラックＡ，Ｂ，Ｃを例に挙げた。即ち、トラックＡは車載アンテナ２８ａに接続された車載端末機３０ａを有し、トラックＢは車載アンテナ２８ｂに接続された車載端末機３０ｂを有し、トラックＣは車載アンテナ２８ｃに接続された車載端末機３０ｃを有する。また、各車載端末機３０ａ，３０ｂ，３０ｃは、車載アンテナ２８ａ，２８ｂ，２８ｃを介して位置捕捉用の人工衛星３２と無線通信接続されるようになっている。以下、各構成要素について詳細に説明する。
【００２１】
車載端末機３０ａ，３０ｂ，３０ｃは、人工衛星３２と通信を行うことにより、各々のトラックＡ，Ｂ，Ｃの位置情報（緯度・経度）を所定時間間隔で検出し、これら検出した位置情報に各トラックＡ，Ｂ，ＣのＩＤ（Ｉｄｅｎｔｉｆｉｅｒ）及び名称の情報を付加し、これを位置情報として通信回線網１１を介して情報送受信システム１０へ送信する。
【００２２】
また、車載端末機３０ａ，３０ｂ，３０ｃは、運転者によるメッセージの登録操作により入力された文字及び音声の双方又は何れか一方のメッセージに、自ＩＤ及び名称の情報を付加し、これをメッセージ情報として通信回線網１１を介して情報送受信システム１０へ送信する。
【００２３】
また、車載端末機３０ａ，３０ｂ，３０ｃは、情報送受信システム１０から送信されてくる地図情報を受信して図示せぬディスプレイに表示する。この際、ディスプレイに表示された地図上に自車と相手車を文字・記号・マークなどで各々の現在位置に表示する。更に、その表示された所望の相手車のマーク等がクリックされた際にメッセージ要求を情報送受信システム１０へ送信し、この要求に応じて返送されてくるメッセージ情報をディスプレイに表示する。この際、メッセージ情報が文字のみであれば文字メッセージを表示し、音声のみであれば音声メッセージを音声出力し、双方で有れば文字メッセージを表示すると共に音声メッセージを音声出力する。
【００２４】
情報送受信システム１０の位置情報受信部１２は、各車載端末機３０ａ，３０ｂ，３０ｃからの各トラックＡ，Ｂ，Ｃの位置情報を受信し、位置情報データベース２０に格納する。この格納は、例えば図２に示すように、トラックＡの位置情報に付加されたＩＤ情報の「０００１」を移動体ＩＤの欄に格納し、同位置情報に付加された名称情報の「トラックＡ」を移動体名称の欄に格納し、同位置情報に示された緯度情報の「Ｎ４３°２６′１０″」を緯度の欄に格納し、同位置情報に示された経度情報の「Ｅ１２５°１８′１１″」を経度の欄に格納する。同様に、トラックＢの位置情報に付加されたＩＤ情報の「０００２」を移動体ＩＤの欄に格納し、同位置情報に付加された名称情報の「トラックＢ」を移動体名称の欄に格納し、同位置情報に示された緯度情報の「Ｎ４３°２６′１５″」を緯度の欄に格納し、同位置情報に示された経度情報の「Ｅ１２５°１８′３２″」を経度の欄に格納する。同様に、トラックＣの位置情報に付加されたＩＤ情報の「０００３」を移動体ＩＤの欄に格納し、同位置情報に付加された名称情報の「トラックＣ」を移動体名称の欄に格納し、同位置情報に示された緯度情報の「Ｎ４３°２６′２２″」を緯度の欄に格納し、同位置情報に示された経度情報の「Ｅ１２５°１８′０１″」を経度の欄に格納する。
【００２５】
メッセージ受信部１４は、各車載端末機３０ａ，３０ｂ，３０ｃからのメッセージ情報を受信し、この受信したメッセージ情報をメッセージデータベース２２に格納する。この格納は、例えば図３に示すように、トラックＢのメッセージ情報に付加されたＩＤ情報の「０００２」を送信元ＩＤの欄に格納し、同メッセージ情報に付加された送信元名称情報の「トラックＢ」を送信元名称の欄に格納し、同メッセージ情報に示された送信先名称情報の「トラックＡ」を送信先名称の欄に格納し、この格納された送信先名称の「トラックＡ」に予めシステムで対応付けられて保持されているＩＤの「０００１」を送信先ＩＤの欄に格納し、更に同メッセージ情報に示されたメッセージの例えば「今、着いたよ。」をメッセージの欄に格納し、同メッセージ情報に示された音声メッセージを音声メモの欄に例えば音声ファイル１の形式で格納する。同様に、トラックＣのメッセージ情報に付加されたＩＤ情報の「０００３」を送信元ＩＤの欄に格納し、同メッセージ情報に付加された送信元名称情報の「トラックＣ」を送信元名称の欄に格納し、同メッセージ情報に示された送信先名称情報の「トラックＡ」を送信先名称の欄に格納し、その「トラックＡ」に予め対応付けられたＩＤの「０００１」を送信先ＩＤの欄に格納し、更に同メッセージ情報に示されたメッセージの例えば「遅れています。」をメッセージの欄に格納し、同メッセージ情報に示された音声メッセージを音声メモの欄に例えば音声ファイル２の形式で格納する。同様に、トラックＥのメッセージ情報に付加されたＩＤ情報の「０００５」を送信元ＩＤの欄に格納し、同メッセージ情報に付加された送信元名称情報の「トラックＥ」を送信元名称の欄に格納し、同メッセージ情報に示された送信先名称情報の「トラックＤ」を送信先名称の欄に格納し、その「トラックＤ」に予め対応付けられたＩＤの「０００４」を送信先ＩＤの欄に格納し、更に同メッセージ情報に示されたメッセージの例えば「予定通りです。」をメッセージの欄に格納し、同メッセージ情報に示された音声メッセージを音声メモの欄に例えば音声ファイル３の形式で格納する。
【００２６】
図１に戻って、地図情報提示部１６は、メッセージデータベース２２にメッセージ情報が格納された際に、そのメッセージ情報の送信元の車載端末機の位置情報（緯度・経度）を位置情報データベース２０から取得し、この取得した位置情報を地図データベース２４の地図情報に対応付け、この地図情報を通信回線網１１を介して送信先の車載端末機３０ａ，３０ｂ，３０ｃへ送信（提示）する。
【００２７】
メッセージ送信部１８は、各車載端末機３０ａ，３０ｂ，３０ｃからのメッセージ要求に応じてメッセージデータベース２２を検索することにより、要求されたメッセージの送信元のメッセージを取得し、音声ファイルがある場合には音声ファイルも取得し、このメッセージ情報を通信回線網１１を介して要求元の車載端末機３０ａ，３０ｂ，３０ｃへ送信する。
【００２８】
続いて、本実施形態にかかる情報送受信システムの動作について説明し、併せて、本発明の実施形態にかかる情報送受信方法について説明する。図４は、本実施形態にかかる情報送受信システムにおいて位置登録を行う手順を示す図である。但し、以下の説明では、図１に記載したトラックＡ，Ｂ，Ｃの他にも、図示せぬ多数のトラックＤ，Ｅ，…が存在するものとする。
【００２９】
まず、ステップＳ１において、各トラックＡ，Ｂ，Ｃ，…の車載端末機３０ａ，３０ｂ，３０ｃ，…で人工衛星３２と通信が行われることにより、各々のトラックＡ，Ｂ，Ｃ，…の位置情報（緯度・経度）が検出される。ステップＳ２において、その検出された各トラックＡ，Ｂ，Ｃ，…の位置情報に各トラックＡ，Ｂ，Ｃ，…のＩＤ及び名称の情報が付加された後、各車載端末機３０ａ，３０ｂ，３０ｃ，…から通信回線網１１を介して情報送受信システム１０へ送信される。
【００３０】
ステップＳ３において、各トラックＡ，Ｂ，Ｃ，…の位置情報が情報送受信システム１０の位置情報受信部１２で受信される。ステップＳ４において、それら受信された位置情報が位置情報受信部１２の制御によって位置情報データベース２０に格納される。
【００３１】
この格納は、図２に示すように、トラックＡの位置情報に付加されたＩＤ情報の「０００１」が移動体ＩＤの欄に格納され、同位置情報に付加された名称情報の「トラックＡ」が移動体名称の欄に格納され、同位置情報に示された緯度情報の「Ｎ４３°２６′１０″」が緯度の欄に格納され、同位置情報に示された経度情報の「Ｅ１２５°１８′１１″」が経度の欄に格納される。
【００３２】
同様に、トラックＢの位置情報に付加されたＩＤ情報の「０００２」が移動体ＩＤの欄に格納され、同位置情報に付加された名称情報の「トラックＢ」が移動体名称の欄に格納され、同位置情報に示された緯度情報の「Ｎ４３°２６′１５″」が緯度の欄に格納され、同位置情報に示された経度情報の「Ｅ１２５°１８′３２″」が経度の欄に格納される。
【００３３】
同様に、トラックＣの位置情報に付加されたＩＤ情報の「０００３」が移動体ＩＤの欄に格納され、同位置情報に付加された名称情報の「トラックＣ」が移動体名称の欄に格納され、同位置情報に示された緯度情報の「Ｎ４３°２６′２２″」が緯度の欄に格納され、同位置情報に示された経度情報の「Ｅ１２５°１８′０１″」が経度の欄に格納される。この格納によって各トラックＡ，Ｂ，Ｃ，…の位置登録が終了する。また、この位置登録は所定時間間隔で更新される。
【００３４】
次に、メッセージ登録を行う手順を、図５を参照して説明する。図５は、本実施形態にかかる情報送受信システムにおいてメッセージ登録を行う手順を示す図である。
【００３５】
まず、ステップＳ５において、各トラックＡ，Ｂ，Ｃ，…の車載端末機３０ａ，３０ｂ，３０ｃ，…で運転者によりメッセージの登録操作が行われる。この操作を、トラックＢを例に挙げて説明する。まず、運転者が車載端末機３０ｂにおいて送信メッセージ登録画面呼出操作を行うことによって、車載端末機３０ｂのディスプレイ上に例えば図６（ａ）に示す送信メッセージ登録画面を表示させ、この画面における送信先の枠に例えば「トラックＡ」、送信メッセージの枠に例えば「今、着いたよ。」と文字を入力する。
【００３６】
ここでステップＳ６において、音声メモがあるか否かが判断される。即ち音声によるメッセージも登録する場合は、ステップＳ７へ進み音声メモ登録操作を行う。これは、図６（ａ）に示す送信メッセージ登録画面において音声メモの釦を押す。これによって図６（ｂ）に示す音声メモ登録画面が表示されるので、運転者はその画面上の録音開始の釦を押して所望のメッセージ録音を行う。録音が終了すれば録音終了の釦を押し、この後、録音メッセージを確認するための釦を押す。録音ＯＫであれば前画面に戻るための釦を押し、図６（ａ）の送信メッセージ登録画面において登録釦を押す。
【００３７】
これによってステップＳ８において、車載端末機３０ｂからメッセージ情報が送信されるが、この送信時にメッセージ情報にトラックＢのＩＤ及び名称の情報が付加される。また、音声メモが無い場合は、ステップＳ８において文字のみのメッセージ情報が送信される。尚、文字情報を入力せずに音声メモのみのメッセージ情報を送信することも可能である。このように送信されたメッセージ情報は、通信回線網１１を介して情報送受信システム１０へ送信される。
【００３８】
ステップＳ９において、それらメッセージ情報が情報送受信システム１０のメッセージ受信部１４で受信される。ステップＳ１０において、それら受信されたメッセージ情報がメッセージ受信部１４の制御によってメッセージデータベース２２に格納される。但し、その格納されるメッセージ情報の送信元は、トラックＢ，Ｃと図示せぬトラックＥであるとする。
【００３９】
メッセージ情報の格納は、図３に示すように、トラックＢのメッセージ情報に付加されたＩＤ情報の「０００２」が送信元ＩＤの欄に格納され、同メッセージ情報に付加された送信元名称情報の「トラックＢ」が送信元名称の欄に格納され、同メッセージ情報に示された送信先名称情報の「トラックＡ」が送信先名称の欄に格納され、この格納された送信先名称の「トラックＡ」に予めシステムで対応付けられて保持されているＩＤの「０００１」が送信先ＩＤの欄に格納され、更に同メッセージ情報に示されたメッセージの「今、着いたよ。」がメッセージの欄に格納され、同メッセージ情報に示された音声メモが音声メモの欄に音声ファイル１の形式で格納される。
【００４０】
同様に、トラックＣのメッセージ情報に付加されたＩＤ情報の「０００３」が送信元ＩＤの欄に格納され、同メッセージ情報に付加された送信元名称情報の「トラックＣ」が送信元名称の欄に格納され、同メッセージ情報に示された送信先名称情報の「トラックＡ」が送信先名称の欄に格納され、その「トラックＡ」に予め対応付けられたＩＤの「０００１」が送信先ＩＤの欄に格納され、更に同メッセージ情報に示されたメッセージの「遅れています。」がメッセージの欄に格納され、同メッセージ情報に示された音声メモが音声メモの欄に音声ファイル２の形式で格納される。
【００４１】
同様に、トラックＥのメッセージ情報に付加されたＩＤ情報の「０００５」が送信元ＩＤの欄に格納され、同メッセージ情報に付加された送信元名称情報の「トラックＥ」が送信元名称の欄に格納され、同メッセージ情報に示された送信先名称情報の「トラックＤ」が送信先名称の欄に格納され、その「トラックＤ」に予め対応付けられたＩＤの「０００４」が送信先ＩＤの欄に格納され、更に同メッセージ情報に示されたメッセージの「予定通りです。」がメッセージの欄に格納され、同メッセージ情報に示された音声メモが音声メモの欄に音声ファイル３の形式で格納される。この格納によって各トラックＡ，Ｂ，Ｃ，…の位置登録が終了する。
【００４２】
次に、メッセージ提示を行う手順を、図７を参照して説明する。図７は、本実施形態にかかる情報送受信システムにおいてメッセージ提示を行う手順を示す図である。
【００４３】
まず、ステップＳ１３において、地図情報提示部１６では、メッセージデータベース２２にメッセージ情報が格納された際に、そのメッセージ情報の送信元であるトラックＢ，Ｃの位置情報（緯度・経度）が位置情報データベース２０から取得され、この取得された位置情報が地図データベース２４の地図情報に対応付けられ、この地図情報が通信回線網１１を介して送信先のトラックＡの車載端末機３０ａへ送信（提示）される。
【００４４】
ステップＳ１４において、その送信された地図情報が送信先のトラックＡの車載端末機３０ａで受信され、ステップＳ１５において、ディスプレイに表示される。この表示は、例えば図６（ｃ）に示すようにディスプレイに地図が表示され、この地図上に自トラック（自車）Ａと、相手トラックＢ，Ｃとが、それぞれ、黒丸、黒四角、黒三角のシンボルマークで表示される。
【００４５】
この表示後、ステップＳ１６において相手位置が指定されたか否かが判断される。これは、自トラックＡの運転者がメッセージを知りたい相手を、シンボルマークをクリックすることによって指定することである。ここで例えばトラックＢのシンボルマーク（黒四角）がクリックされたとする。
【００４６】
このクリックによりステップＳ１７において、車載端末機３０ａからメッセージ要求が送信される。ステップＳ１８において、その送信メッセージ要求が情報送受信システム１０のメッセージ送信部１８で受信されると、ステップＳ１９において、メッセージ送信部１８では、メッセージデータベース２２を検索することにより要求されたメッセージの送信元トラックＢのメッセージ「今、着いたよ。」と音声メモである音声ファイル１とを取得し、このメッセージ情報を通信回線網１１を介して要求元の車載端末機３０ａへ送信する。
【００４７】
ステップＳ２０において、その送信メッセージ情報が車載端末機３０ａで受信されると、ステップＳ２１において、車載端末機３０ａのディスプレイに例えば図６（ｄ）に示すようにメッセージ情報が表示される。即ち、相手車がトラックＢであり、メッセージが「今、着いたよ。」であることが表示されると共に、音声メモが有ることが表示される。
【００４８】
この際、運転者がステップＳ２２において、音声メモがあるか否かを判断し、有ると判断した場合は、ステップＳ２３において音声メモの再生を行う。これは、ディスプレイ上の音声メモの釦を押下すると、例えば図６（ｅ）に示す音声メモ再生画面に切り替わるので、この画面上でメッセージを再生するための釦を押すことによって実行する。音声メモの再生によってメッセージを確認した後は、再生終了の釦を押下する。必要で有れば、前画面へ戻る釦を押下することによって、（ｄ）に示す画面に戻る。
【００４９】
続いて、本実施形態にかかる情報送受信システムの作用及び効果について説明する。本実施形態にかかる情報送受信システム１０においては、各トラックＡ，Ｂ，Ｃの位置情報を位置情報受信部１２で受信して位置情報データベース２０に格納すると共に、送信元のトラックＢから送信先のトラックＡへ送信するメッセージ情報を、送信元のトラックＢの車載端末機３０ｂからメッセージ受信部１４で受信してメッセージデータベース２２に格納する。このメッセージ情報が格納された際に、地図情報提示部１６で、そのメッセージ情報の送信元のトラックＢの位置情報を先に格納された位置情報データベース２０の中から取得し、この取得した位置情報を地図データベース２４の地図情報に対応付けて送信先のトラックＡの車載端末機３０ａへ提示する。この提示された地図上、即ち車載端末機３０ａのディスプレイに表示された地図上で送信元のトラックＢの位置がシンボルマークのクリックによって指定された際に、メッセージデータベース２２に先に格納されたメッセージ情報をメッセージ送信部１８で送信先の車載端末機３０ａへ提示する。
【００５０】
従って、移動通信端末機相互間で、送信元が送信先への送信情報を送信しておけば、自動的にその送信元の位置情報が地図情報に対応付けられて送信先へ提示され、ここで送信先に提示された地図上で送信元の位置を指定することにより、送信先のユーザは、送信元からの送信情報を見たり聞いたりすることができる。その結果、移動通信端末機相互間で一方が、他方の位置情報に関連づけられたメッセージ等の情報を効率よく取得することが可能となる。
【００５１】
最後に、本発明の実施形態にかかる情報送受信プログラム、および、当該情報送受信プログラムを記録したコンピュータ読み取り可能な記録媒体（以下、単に記録媒体という）について説明する。ここで、記録媒体とは、コンピュータのハードウェア資源に備えられている読み取り装置に対して、プログラムの記述内容に応じて、磁気、光、電気等のエネルギーの変化状態を引き起こして、それに対応する信号の形式で、読み取り装置にプログラムの記述内容を伝達できるものである。かかる記録媒体としては、例えば、磁気ディスク、光ディスク、ＣＤ−ＲＯＭ、コンピュータに内蔵されるメモリなどが該当する。
【００５２】
図８は、本発明の実施形態にかかる記録媒体の構成図である。記録媒体６０は、図８に示すように、プログラムを記録するプログラム領域６０ａを備えている。このプログラム領域６０ａには、情報送受信プログラム６２が記録されている。情報送受信プログラム６２は、コンピュータに、通信網に接続された無線基地局と通信を行う移動通信端末機と情報の送受信を行う情報送受信プログラムであって、図８に示すように、処理を統括するメインモジュール６２ａと、各移動通信端末機の位置情報を受信し、この受信された位置情報を格納手段に格納する第１の受信モジュール６２ｂと、送信元の移動通信端末機から送信先の移動通信端末機へ送信する送信情報を、送信元の移動通信端末機から受信し、この受信された送信情報を格納手段に格納する第２の受信モジュール６２ｃと、その送信情報の送信元の移動通信端末機の位置情報を格納手段から取得し、この取得した位置情報を地図情報に対応付けて送信先の移動通信端末機へ提示する第１の提示モジュール６２ｄと、第１の提示モジュール６２ｄで提示された地図上で送信元の移動通信端末機の位置が指定された際に、格納手段に格納された送信情報を送信先の移動通信端末機へ提示する第２の提示モジュール６２ｅとを備えて構成される。
【００５３】
図９は、記録媒体６０に記録された情報送受信プログラム６２を実行するためのコンピュータ（例えばサーバシステム）のシステム構成図であり、図１０は、記録媒体６０に記録された情報送受信プログラム６２を実行するためのコンピュータの斜視図である。コンピュータ１００は、図９及び図１０に示すように、読み取り装置１０２と、オペレーティングシステム（ＯＳ）を常駐させた作業用メモリ（ＲＡＭ）１０４と、表示手段であるディスプレイ１０６と、入力手段であるマウス１０８及びキーボード１１０と、通信手段である通信ユニット１１２と、情報送受信プログラム６２の実行等を制御するＣＰＵ１１４とを備えている。ここで、記録媒体６０が読み取り装置１０２に挿入されると、記録媒体６０に記録された情報が読み取り装置１０２からアクセス可能となり、記録媒体６０のプログラム領域６０ａに記録された情報送受信プログラム６２が、コンピュータ１００によって実行可能となる。
【００５４】
上記読み取り装置１０２としては、記録媒体６０に対応して、フレキシブルディスクドライブ装置、ＣＤ−ＲＯＭドライブ装置、あるいは磁気テープドライブ装置などが用いられる。
【００５５】
【発明の効果】
本発明の情報送受信システム、情報送受信方法、情報送受信プログラム及びこの情報送受信プログラムを用いたコンピュータ読み取り可能な記録媒体は、各移動通信端末機の位置情報を受信して格納すると共に、送信元の移動通信端末機から送信先の移動通信端末機へ送信する送信情報を、送信元の移動通信端末機から受信して格納し、この送信情報が格納された際に、その送信情報の送信元の位置情報を先に格納された中から取得し、この取得した位置情報を地図情報に対応付けて送信先の移動通信端末機へ提示し、この提示された地図上で送信元の位置が指定された際に、先に格納された送信情報を送信先の移動通信端末機へ提示することで、移動通信端末機相互間で、送信元が送信先への送信情報を送信しておけば、その送信元の位置情報が地図情報に対応付けられて送信先へ提示され、ここで送信先に提示された地図上で送信元の位置を指定することにより、送信先のユーザは、送信元からの送信情報を享受することができる。その結果、移動通信端末機相互間で、一方が他方の位置情報に関連づけられたメッセージ等の情報を効率よく取得することが可能となる。
【００５６】
また、本発明の情報送受信システム、情報送受信方法、情報送受信プログラム及びこの情報送受信プログラムを用いたコンピュータ読み取り可能な記録媒体は、送信情報で音声情報も送受信することで、音声によるメッセージ等を送信することも可能となる。
【図面の簡単な説明】
【図１】情報送受信システムの構成図である。
【図２】位置情報データベースの構成図である。
【図３】メッセージデータベースの構成図である。
【図４】情報送受信システムにおける位置登録手順を示す図である。
【図５】情報送受信システムにおけるメッセージ登録手順を示す図である。
【図６】情報送受信システムにおける車載端末機のディスプレイ表示例を示す図である。
【図７】情報送受信システムにおけるメッセージ提示手順を示す図である。
【図８】記録媒体の構成図である。
【図９】コンピュータのシステム構成図である。
【図１０】コンピュータの斜視図である。
【符号の説明】
１０…情報送受信システム、１１…通信回線網、１２…位置情報受信部、１４…メッセージ受信部、１６…地図情報提示部、１８…メッセージ送信部、２０…位置情報データベース、２２…メッセージデータベース、２４…地図データベース、２８ａ，２８ｂ，２８ｃ…車載アンテナ、３０ａ，３０ｂ，３０ｃ…車載端末機、３２…人工衛星、Ａ，Ｂ，Ｃ…トラック
【図１】
2004064244.tif 000003
【図２】
2004064244.tif 000004
【図３】
2004064244.tif 000005
【図４】
2004064244.tif 000006
【図５】
2004064244.tif 000007
【図６】
2004064244.tif 000008
【図７】
2004064244.tif 000009
【図８】
2004064244.tif 000010
【図９】
2004064244.tif 000011
【図１０】
2004064244.tif 000012